(57)【要約】      （修正有）【課題】高齢者、指先が多少不自由な者を含め何人でも床面、路面等に落ちた硬貨等の小物物品を簡略に拾い上げることが可能な物品粘着保持用補助具を提供する。【解決手段】物品粘着保持用補助具１は、手指にて把持可能で、ミラーを取り付けた把持部２と、この把持部２にヒンジ３を介して折り畳み可能に連結した粘着材支持片４と、粘着材支持片４に把持部２のミラーに対面する配置に取り付けた平坦端面を有し粘着力により硬貨等の小物物品１０を粘着保持する粘着材部５とを具備する物品粘着保持部６と、を有することを特徴とする。【選択図】図３
0003144991.tif 000002
【実用新案登録請求の範囲】
【請求項１】
手指にて把持可能な把持部と、
この把持部の一部に設けた粘着材部の粘着力により物品を粘着保持する物品粘着保持部と、
を有することを特徴とする物品粘着保持用補助具。
【請求項２】
手指にて把持可能な把持部と、
この把持部の一部に設けた平坦端面を有する粘着材部の粘着力により硬貨、コイン、クリップ等の小物物品を粘着保持する物品粘着保持部と、
を有することを特徴とする物品粘着保持用補助具。
【請求項３】
手指にて把持可能な把持部と、
この把持部に折り畳み可能に連結した粘着材支持片と、該粘着材支持片に前記把持部に対して対面する配置に取り付けた平坦端面を有し粘着力により物品を粘着保持するする粘着材部とを具備する物品粘着保持部と、
を有することを特徴とする物品粘着保持用補助具。
【請求項４】
手指にて把持可能で、ミラーを取り付けた把持部と、
この把持部にヒンジを介して折り畳み可能に連結した粘着材支持片と、該粘着材支持片に前記把持部のミラーに対面する配置に取り付けた平坦端面を有し粘着力により硬貨、コイン、クリップ等の小物物品を粘着保持する粘着材部と、を具備する物品粘着保持部と、
を有することを特徴とする物品粘着保持用補助具。
【請求項５】
手指にて把持可能な略円筒状の把持部と、
この把持部の一端側に配置した平坦端面を有し粘着力により硬貨、コイン、クリップ等の小物物品を粘着保持する粘着材部と、該粘着材部を前記把持部の一端側から出没させるノック操作式の粘着材部出没機構部と、を具備する物品粘着保持部と、
を有することを特徴とする物品粘着保持用補助具。
【請求項６】
手指にて把持可能な略円筒状の把持部と、
この把持部の一端側に配置した平坦端面を有し粘着力により硬貨、コイン、クリップ等の小物物品を粘着保持する粘着材部と、該粘着材部を前記把持部の一端側から出没させる回転操作式の粘着材部出没機構部と、を具備する物品粘着保持部と、
を有することを特徴とする物品粘着保持用補助具。
【請求項７】
手指にて把持可能な四角カード形の紙材又は樹脂材からなる把持部と、
この把持部に折り重ね可能に連結した四角カード形の紙材又は樹脂材からなる粘着材支持片と、
該粘着材支持片に前記把持部に対して対面する配置に取り付けた平坦端面を有し粘着力により硬貨、コイン、クリップ等の小物物品を粘着保持する粘着材部と、
を有することを特徴とする物品粘着保持用補助具。
【請求項８】
手指にて把持可能な把持部と、
この把持部の端部に露出配置した平坦端面を有し粘着力により硬貨、コイン、クリップ等の小物物品を粘着保持する粘着材部と、
前記把持部の端部側の粘着材部をワンタッチで露出し又は施蓋する蓋体と、
を有することを特徴とする物品粘着保持用補助具。
【考案の詳細な説明】
【技術分野】
【０００１】
本考案は、物品粘着保持用補助具に関し、詳しくは、手指にて把持した状態で各種小物物品等を粘着保持する物品粘着保持用補助具に関するものである。
【背景技術】
【０００２】
例えば、高齢者や指先が多少不自由な者にとっては、床面、路面等に落ちた硬貨、コイン、クリップ等の小物物品を指先で拾い上げることは必ずしも容易ではなく、なかなか拾い上げることができないことから、このような用途に使用し得る物品保持用補助具が出現が望まれるところである。
【０００３】
特許文献１には、指先が多少不自由な者の便宜を図るべく、支持具本体と、この支持具本体に設けられた化粧ブラシ、フォーク、スプーン、鉛筆や筆等の細い柄を有する小物の柄を挿入支持することのできる保持機構とよりなる手障害者用補助具が開示されている。
【０００４】
この特許文献１の場合、化粧ブラシ等の細い柄を有する小物の操作に関しては便利であるものの、床面、路面等に落ちた硬貨等の拾い上げ用としては不向きである。
【０００５】
特許文献２には、指先が多少不自由な者の便宜を図るべく、手指にと把持可能な柄の一端側に連結部材を突出させ、この連結部材の端部にゴム材を取り付けて、本の頁めくりの便宜を図っためくり具が開示されている。
【０００６】
この特許文献２の場合も、本のめくり操作に関しては便利であるものの、床面、路面等に落ちた硬貨等の拾い上げ用としては不向きである。
【特許文献１】特開２００５−１１１９５９号公報
【特許文献２】特開２００６−１６８２３７号公報
【考案の開示】
【考案が解決しようとする課題】
【０００７】
本考案が解決しようとする問題点は、高齢者、指先が多少不自由な者を含め何人でも床面、路面等に落ちた硬貨、コイン、クリップ等の小物物品を簡略に拾い上げることが可能な物品粘着保持用補助具が存在しない点である。
【課題を解決するための手段】
【０００８】
本考案の物品粘着保持用補助具は、手指にて把持可能な把持部と、この把持部の一部に設けた粘着材部の粘着力により物品を粘着保持する物品粘着保持部と、を有することを最も主要な特徴とする。
【考案の効果】
【０００９】
請求項１、２記載の考案によれば、把持部を手指にて把持し、物品粘着保持部の粘着材部を小物物品に当接させることで、粘着材部による粘着力にて小物物品を一体的に粘着保持することができ、高齢者、指先が多少不自由な者等が、自らの手の指先ではなく、この物品粘着保持用補助具を使用して床面等に落ちた硬貨、コイン、クリップ等の小物物品を極めて簡略に粘着保持して拾い上げることが可能な物品粘着保持用補助具を提供することができる。
【００１０】
請求項３、４記載の考案によれば、手指にて把持可能な把持部と、粘着材支持片及び粘着材部を具備する物品粘着保持部と、を折り畳み可能な構成として、請求項１、２記載の考案の場合と同様、高齢者、指先が多少不自由な者等が、床面等に落ちた硬貨、コイン、クリップ等の小物物品を極めて簡略に粘着保持して拾い上げることが可能な物品粘着保持用補助具を提供することができる。
【００１１】
請求項５記載の考案によれば、手指にて把持可能な略円筒状の把持部と、小物物品を粘着保持する粘着材部及び粘着材部を把持部の一端側から出没させる粘着材部出没機構部を具備する物品粘着保持部とを有するノック操作式の構成の基に、請求項１、２記載の考案の場合と同様、高齢者、指先が多少不自由な者等が、床面等に落ちた硬貨、コイン、クリップ等の小物物品を極めて簡略に粘着保持して拾い上げることが可能な物品粘着保持用補助具を提供することができる。
【００１２】
請求項６記載の考案によれば、手指にて把持可能な略円筒状の把持部と、小物物品を粘着保持する粘着材部及び粘着材部を前記把持部の一端側から出没させる粘着材部出没機構部を具備する物品粘着保持部とを有する回転操作式の構成の基に、請求項１、２記載の考案の場合と同様、高齢者、指先が多少不自由な者等が、床面等に落ちた硬貨、コイン、クリップ等の小物物品を極めて簡略に粘着保持して拾い上げることが可能な物品粘着保持用補助具を提供することができる。
【００１３】
請求項７記載の考案によれば、手指にて把持可能なカード形の把持部と、この把持部に折り重ね可能に連結したカード形粘着材支持片と、該粘着材支持片に取り付けた平坦端面を有し粘着力により硬貨、コイン、クリップ等の小物物品を粘着保持する粘着材部と、を有する折り重ねカード型の構成の基に、請求項１、２記載の考案の場合と同様、高齢者、指先が多少不自由な者等が、床面等に落ちた硬貨、コイン、クリップ等の小物物品を極めて簡略に粘着保持して拾い上げることが可能な物品粘着保持用補助具を提供することができる。
【００１４】
請求項８記載の考案によれば、手指にて把持可能な把持部と、この把持部の端部に露出配置した粘着材部と、把持部の端部側の粘着材部をワンタッチで露出し又は施蓋する蓋体と、を有するワンタッチ式の構成の基に、請求項１、２記載の考案の場合と同様、高齢者、指先が多少不自由な者等が、床面等に落ちた硬貨、コイン、クリップ等の小物物品を極めて簡略に粘着保持して拾い上げることが可能な物品粘着保持用補助具を提供することができる。
【考案を実施するための最良の形態】
【００１５】
本考案は、高齢者、指先が多少不自由な者を含め何人でも床面、路面等に落ちた硬貨、コイン、クリップ等の小物物品を簡略に拾い上げることが可能な物品粘着保持用補助具を提供するという目的を有するものである。
【００１６】
本考案に係る物品粘着保持用補助具は、手指にて把持可能な把持部と、この把持部の一部に設けた平坦端面を有する粘着材部の粘着力により硬貨、コイン、クリップ等の小物物品を粘着保持する物品粘着保持部と、を有する構成により上記目的を実現した。
【実施例】
【００１７】
以下に、本考案の実施例に係る物品粘着保持用補助具について図面を参照して詳細に説明する。
【００１８】
（実施例１）
本考案の実施例１に係る物品粘着保持用補助具１について、図１乃至図４を参照して説明する。
【００１９】
本実施例１に係る物品粘着保持用補助具１は、図１、図２に示すように、この物品粘着保持用補助具１の所有者（高齢者、指先が多少不自由な者等）が手指にて把持可能な大きさの略直方体状の把持部２と、この把持部２にヒンジ３を介して折り畳み可能に連結した前記把持部２と略同一寸法の略直方体状を呈する粘着材支持片４と、この粘着材支持片４に取り付けた粘着力により硬貨、コイン、クリップ、さらには裁縫針等の小物物品１０を粘着保持する粘着材部５と、を具備する物品粘着保持部６を有している。
【００２０】
前記把持部２の一面には、例えば平面長楕円形状の小型のミラー７を接着等により取り付けている。
【００２１】
前記粘着材部５は、粘着素材を用いて各種形状で平坦端面を有する形状に形成され、粘着材支持片４の一面（把持部２側のミラー７に対面する側の面）に接着等により取り付けている。
【００２２】
前記物品粘着保持部６は、前記ヒンジ３により前記把持部２に対して図１に示す閉位置と図３に示す物品粘着位置とにわたって略２７０度の範囲で開閉可能に構成している。
【００２３】
前記ヒンジ３の一部に設けた受孔３ａには、所有者が指に掛けて物品粘着保持用補助具１自体を吊り下げるための吊り下げ鎖８を取り付けている。
【００２４】
前記粘着材部５を構成する粘着素材としては、例えば基材にアクリル系粘着剤、シリコーン系粘着剤を付着させたもの等を使用する。
【００２５】
次に、本実施例１に係る物品粘着保持用補助具１による硬貨、コイン、クリップ等の小物物品１０に対する粘着保持作用について図４をも参照して説明する。
【００２６】
本実施例１に係る物品粘着保持用補助具１により、例えば床面１１等に落ちた小物物品１０を粘着保持し拾い上げるに際しては、この物品粘着保持用補助具１の物品粘着保持部６を前記ヒンジ３を支軸として図１に示す閉位置から図３に示す物品粘着位置に開き、前記把持部２を片手の手指にて把持するとともに、物品粘着保持部６の粘着材部５を床面１１上の小物物品１０に対峙させる。
【００２７】
そして、前記把持部２を床面１１側に降下させ、粘着材部５を前記小物物品１０に当接させる。これにより、図４に示すように、前記粘着材部５による粘着力にて小物物品１０がこの粘着材部５と一体的に保持される。この結果、高齢者、指先が多少不自由な者等の所有者は、自らの手の指先ではなく、前記物品粘着保持用補助具１を使用して床面１１等に落ちた硬貨、コイン、クリップ等の小物物品１０を極めて簡略に粘着保持して拾い上げることが可能となる。
【００２８】
また、本実施例１に係る物品粘着保持用補助具１は、把持部２の一面に小型のミラー７を備えることから、例えば女性等が化粧直しをするために自己の顔の一部を見る場合にも便利である。
【００２９】
（実施例２）
本考案の実施例２に係る物品粘着保持用補助具１Ａについて、図５、図６を参照して説明する。
【００３０】
本実施例２に係る物品粘着保持用補助具１Ａは、図５に示すように、所有者が手指にて把持可能な略円筒状の把持部２１と、この把持部２１に組み込んだ物品粘着保持部２２とを有している。
【００３１】
前記物品粘着保持部２２は、把持部２１の一端側に配置した平坦端面を有し粘着力により硬貨、コイン、クリップ等の小物物品を粘着保持する実施例１の粘着材部５と同一材料からなる粘着材部２３と、前記把持部２１に組み込まれ、前記該粘着材部２３を前記把持部２１の一端側から出没させるノック操作式の粘着材部出没機構部２４と、を具備している。
【００３２】
前記粘着材部出没機構部２４は、前記把持部２１の他端側に配置したノック操作片２５と、このノック操作片２５に作用するノック力を前記把持部２１の他端側から把持部２１内を経て一端側の粘着材部２３に伝達するノック力伝達部２６とを具備している。
【００３３】
前記粘着材部出没機構部２４としては、口紅等の化粧品や円筒状糊具等において汎用されている公知のスティック型（ノック式）の構造を採用するものである。
【００３４】
本実施例２に係る物品粘着保持用補助具１Ａによる硬貨、コイン、クリップ等の小物物品１０に対する粘着保持作用は、図６に示すように、ノック操作片２５を操作して粘着材部２３を把持部２１の一端から突出させ、把持部２１を片手の手指にて把持し、粘着材部２３を床面１１上の小物物品１０に対峙させる。
そして、前記把持部２１を床面１１側に降下させ、粘着材部２３を前記小物物品１０に当接させる。これにより、前記粘着材部２３による粘着力にて小物物品１０がこの粘着材部２３と一体的に保持される。
【００３５】
この結果、高齢者、指先が多少不自由な者等の所有者は、自らの手の指先ではなく、前記物品粘着保持用補助具１Ａを使用して床面１１等に落ちた硬貨、コイン、クリップ等の小物物品１０を極めて簡略に粘着保持して拾い上げることが可能となる。
【００３６】
（実施例３）
本考案の実施例３に係る物品粘着保持用補助具１Ｂについて、図７、図８を参照して説明する。
【００３７】
本実施例３に係る物品粘着保持用補助具１Ｂは、図７に示すように、所有者が手指にて把持可能な略円筒状の把持部３１と、この把持部３１に組み込んだ物品粘着保持部３２とを有している。
【００３８】
前記物品粘着保持部３２は、把持部３１の一端側に配置した平坦端面を有し粘着力により硬貨、コイン、クリップ等の小物物品を粘着保持する実施例１の粘着材部５と同一材料からなる粘着材部３３と、前記把持部３１に組み込まれ、前記該粘着材部３３を前記把持部３１の一端側から出没させる回転操作式の粘着材部出没機構部３４と、を具備している。
【００３９】
前記粘着材部出没機構部３４は、前記把持部３１他端側に配置した回転操作片３５と、この回転操作片３５による回転力を前記把持部３１の他端側から把持部３１内を経て一端側の粘着材部３３に伝達する回転力伝達部３６とを具備している。
【００４０】
前記粘着材部出没機構部３４としては、口紅等の化粧品や円筒状糊具等において汎用されている公知のスティックキャップ型（回転式）の構造を採用するものである。
【００４１】
本実施例３に係る物品粘着保持用補助具１Ｂによる硬貨、コイン、クリップ等の小物物品１０に対する粘着保持作用は、図８に示すように、回転操作片３５を回転操作して粘着材部３３を把持部３１の一端から突出させ、把持部３１を片手の手指にて把持し、粘着材部３３を床面１１上の小物物品１０に対峙させる。
そして、前記把持部３１を床面１１側に降下させ、粘着材部３３を前記小物物品１０に当接させる。これにより、前記粘着材部３３による粘着力にて小物物品１０がこの粘着材部３３と一体的に保持される。
【００４２】
この結果、高齢者、指先が多少不自由な者等の所有者は、自らの手の指先ではなく、前記物品粘着保持用補助具１Ｂを使用して床面１１等に落ちた硬貨、コイン、クリップ等の小物物品１０を極めて簡略に粘着保持して拾い上げることが可能となる。
【００４３】
（実施例４）
本考案の実施例４に係る物品粘着保持用補助具１Ｃについて、図９、図１０を参照して説明する。
【００４４】
本実施例４に係る物品粘着保持用補助具１Ｃは、図９に示すように、所有者が手指にて把持可能な四角カード形の紙材又は樹脂材からなる把持部４１と、この把持部４１に折り重ね可能に連結した四角カード形の紙材又は樹脂材からなる粘着材支持片４２と、該粘着材支持片４２に前記把持部４１に対して対面する配置に取り付けた平坦端面を有し粘着力により硬貨、コイン、クリップ等の小物物品を粘着保持する実施例１の粘着材部５と同一材料からなる粘着材部４３と、を有する二つ折り構造としている。
【００４５】
本実施例４に係る物品粘着保持用補助具１Ｃによる硬貨、コイン、クリップ等の小物物品１０に対する粘着保持作用は、図１０に示すように、把持部４１に対して粘着材支持片４２を略２７０度開いた状態とし、把持部４１を手指にて把持し、粘着材支持片４２の粘着材部４３を床面１１上の小物物品１０に対峙させる。そして、前記把持部４１を床面１１側に降下させ、粘着材部４３を前記小物物品１０に当接させる。これにより、前記粘着材部４３による粘着力にて小物物品１０がこの粘着材部４３と一体的に保持される。
【００４６】
この結果、高齢者、指先が多少不自由な者等の所有者は、自らの手の指先ではなく、前記物品粘着保持用補助具１Ｃを使用して床面１１等に落ちた硬貨、コイン、クリップ等の小物物品１０を極めて簡略に粘着保持して拾い上げることが可能となる。
【００４７】
（実施例５）
本考案の実施例５に係る物品粘着保持用補助具１Ｄについて、図１１、図１２を参照して説明する。
【００４８】
本実施例５に係る物品粘着保持用補助具１Ｄは、図１１に示すように、所有者が手指にて把持可能な例えば四角筒状の把持部５１と、この把持部５１の端部に露出配置した平坦端面を有し粘着力により硬貨、コイン、クリップ等の小物物品を粘着保持する実施例１の粘着材部５と同一材料からなる直方体状の粘着材部５２と、前記把持部５１の端部側の粘着材部５２をワンタッチで露出し又は施蓋する蓋体５３と、を有している。
【００４９】
前記蓋体５３は、例えば図１１に示すように、把持部５１側が開口した直方体状で、把持部５１の一方の下部側面にヒンジ５４により一端側を開閉可能に連結するとともに、その他端側の内面部に前記把持部５１の一方の下部側面に設けた凹部５１ａに係合する係合突部５３ａを具備し、さらに、その他端側の端縁部に指操作用の突出部５３ｂを設けている。
【００５０】
そして、把持部５１の蓋体５３に対する施蓋状態では、図１１左欄に示すように、係合突部５３ａを凹部５１ａに係合させて固定保持状態とするとともに、前記突出部５３ｂを指等で下方に押すことで施蓋状態をワンタッチで解除し、図１１右欄に示すように、蓋体５３を把持部５１の側方に退避させ、前記粘着材部５２を把持部５１の下側に露出させることができるように構成している。
【００５１】
本実施例５に係る物品粘着保持用補助具１Ｃによる硬貨、コイン、クリップ等の小物物品１０に対する粘着保持作用は、図１２に示すように、図１１右欄に示すように前記粘着材部５２を把持部５１の下側に露出させる状態とし、把持部５１を手指にて把持し、粘着材部５２を床面１１上の小物物品１０に対峙させる。
そして、前記把持部５１を床面１１側に降下させ、粘着材部５２を前記小物物品１０に当接させる。
【００５２】
これにより、前記粘着材部５２による粘着力にて小物物品１０がこの粘着材部５２と一体的に保持される。
【００５３】
この結果、高齢者、指先が多少不自由な者等の所有者は、自らの手の指先ではなく、前記物品粘着保持用補助具１Ｄを使用して床面１１等に落ちた硬貨、コイン、クリップ等の小物物品１０を極めて簡略に粘着保持して拾い上げることが可能となる。
【００５４】
尚、上述した実施例１乃至５における物品粘着保持用補助具の形態は、上述した場合に限定されるものではなく、前記把持部、物品粘着保持部、粘着材部等の形状、寸法等は各種の変形実施が可能であることはもちろんである。
【産業上の利用可能性】
【００５５】
本考案の物品粘着保持用補助具は、例えば指先に付け爪を装着している女性用としても応用可能であり、また、物品製造工場におけるネジ、ナット、小径歯車等の取り扱い用として等、産業分野にも広範に応用可能である。
【図面の簡単な説明】
【００５６】
【図１】本考案の実施例１に係る物品粘着保持用補助具の外観を示す斜視図である。
【図２】本実施例１に係る物品粘着保持用補助具の展開状態の平面図である。
【図３】本実施例１に係る物品粘着保持用補助具を２７０度の回動させた状態の側面図である。
【図４】本実施例１に係る物品粘着保持用補助具により小物物品を粘着保持する状態を示す側面図である。
【図５】本考案の実施例２に係る物品粘着保持用補助具の構成を示す概略説明図である。
【図６】本実施例２に係る物品粘着保持用補助具により小物物品を粘着保持する状態を示す側面図である。
【図７】本考案の実施例３に係る物品粘着保持用補助具の構成を示す概略説明図である。
【図８】本実施例３に係る物品粘着保持用補助具により小物物品を粘着保持する状態を示す側面図である。
【図９】本考案の実施例４に係る物品粘着保持用補助具の構成を示す概略斜視図である。
【図１０】本考案の実施例４に係る物品粘着保持用補助具により小物物品を粘着保持する状態を示す側面図である。
【図１１】本考案の実施例５に係る物品粘着保持用補助具の構成を部分断面にて示す説明図である。
【図１２】本実施例５に係る物品粘着保持用補助具により小物物品を粘着保持する状態を示す部分断面図である。
【符号の説明】
【００５７】
１    物品粘着保持用補助具
１Ａ  物品粘着保持用補助具
１Ｂ  物品粘着保持用補助具
１Ｃ  物品粘着保持用補助具
１Ｄ  物品粘着保持用補助具
２    把持部
３    ヒンジ
３ａ  受孔
４    粘着材支持片
５    粘着材部
６    物品粘着保持部
７    ミラー
８    吊り下げ鎖
１０    小物物品
１１    床面
２１    把持部
２２    物品粘着保持部
２３    粘着材部
２４    粘着材部出没機構部
２５    ノック操作片
２６    ノック力伝達部
３１    把持部
３２    物品粘着保持部
３３    粘着材部
３４    粘着材部出没機構部
３５    回転操作片
３６    回転力伝達部
４１    把持部
４２    粘着材支持片
４３    粘着材部
５１    把持部
５１ａ  凹部
５２    粘着材部
５３    蓋体
５３ａ  係合突部
５３ｂ  突出部
５４    ヒンジ
【図１】
0003144991.tif 000003
【図２】
0003144991.tif 000004
【図３】
0003144991.tif 000005
【図４】
0003144991.tif 000006
【図５】
0003144991.tif 000007
【図６】
0003144991.tif 000008
【図７】
0003144991.tif 000009
【図８】
0003144991.tif 000010
【図９】
0003144991.tif 000011
【図１０】
0003144991.tif 000012
【図１１】
0003144991.tif 000013
【図１２】
0003144991.tif 000014